(57)【要約】【課題】高温に耐え、且つシール性能が高い封止構造を提案するものであり、漏れが少なく、試験室内を所望の温度に維持しやすい環境試験装置を提供する。【解決手段】環境試験装置１は、冷熱衝撃試験装置であり、高温晒しモードと低温晒しモードを交互に繰り返す。試験室と高温側温調室の間には、高温側空気循環路が形成されており、当該高温側空気循環路には、高温導入側ダンパー８と、高温排出側ダンパーが設けられている。高温導入開口３３は、高温導入側ダンパー８に設けられたパッキン部材５０に高温導入開口３３の開口端によって構成される角辺５１を押圧することによって封止される。パッキン部材５０は、セラミック繊維等の耐熱性を有する繊維５２を金属の布状物５３で覆ったものである。【選択図】図１１
2015225067.tif 000002
【特許請求の範囲】
【請求項１】
被試験物を配置する試験室と、本体側開口と、当該本体側開口を開閉する開閉部材と、パッキン部材とを有する環境試験装置において、
前記パッキン部材は凹変可能及び／又は厚さ方向に変形可能であり、前記パッキン部材は開閉部材又は本体側開口のいずれか一方に取り付けられ、開閉部材又は本体側開口の他方には辺状にのびる角辺があり、前記開閉部材が前記本体側開口を閉塞した状態においては、前記角辺が前記パッキン部材と接触し、パッキン部材を凹変及び／又は厚さ方向に変形させることを特徴とする環境試験装置。
【請求項２】
前記パッキン部材は環状に配置されて開閉部材の辺部近傍又は本体側開口の開口端近傍に配置され、
前記パッキン部材の側面側に押圧部材があり、前記押圧部材は一時締結要素によって開閉部材又は本体側開口に取り付けられるものであって取り付け位置を調整可能であり、押圧部材の取り付け位置を変更することによってパッキン部材の位置又は姿勢の少なくともいずれかを変更可能であることを特徴とする請求項１に記載の環境試験装置。
【請求項３】
パッキン部材は、パッキン本体と、姿勢保持部材によって構成され、姿勢保持部材はパッキン本体の側面を支持するものであることを特徴とする請求項２に記載の環境試験装置。
【請求項４】
前記パッキン部材は複数のパッキン片によって構成されており、一方のパッキン片の端部が他方のパッキン片の辺部に接した状態で前記パッキン片が環状に配置されていることを特徴とする請求項１乃至３のいずれかに記載の環境試験装置。
【請求項５】
パッキン部材はパッキン本体を有し、当該パッキン本体は布状物又は網状物で繊維を覆った構造を有し、前記布状物及び網状物は金属製の線材又は繊維で作られたものであることを特徴とする請求項１乃至４のいずれかに記載の環境試験装置。
【請求項６】
空気を昇温する昇温部を有し、当該昇温部と試験室を繋ぐ連通路に前記本体側開口及び開閉部材があり、
前記開閉部材は動力によって動作されることを特徴とする請求項１乃至５のいずれかに記載の環境試験装置。
【請求項７】
前記本体側開口は、試験室に被試験物を出し入れするための出入り開口であり、前記開閉部材は出入り開口を開閉する扉部材であることを特徴とする請求項１乃至６のいずれかに記載の環境試験装置。
【発明の詳細な説明】
【技術分野】
【０００１】
本発明は熱衝撃試験装置や恒温恒湿装置等に代表される環境試験装置に関するものである。本発明は、冷熱衝撃試験装置や、冷熱サイクル試験装置のように、高温に温度調整された空気を試験室に供給する環境試験装置に適するものである。
【背景技術】
【０００２】
環境試験装置の一つに、特許文献１，２等に開示された様な冷熱衝撃試験装置や、冷熱サイクル試験装置がある。これらの環境試験装置は、温度調整された空気を試験室に導入して試験を実施する。
特許文献１に開示されている冷熱衝撃試験装置では、高温に調整された気体を試験室に導入して高温雰囲気下に被試験物を晒す高温晒しモードによる運転と、低温に調整された気体を試験室に導入して低温雰囲気下に被試験物を晒す低温晒しモードによる運転とを順次実施する冷熱サイクル動作を繰り返し実施し、被試験物に熱衝撃を与える。
【０００３】
この種の環境試験装置では、試験室の他に、高温側温調室と、低温側温調室とを有している。
前記した高温側温調室内にはヒータと送風機とが設けられており、送風機で内部の空気を循環しつつ、ヒータで高温側温調室内を昇温する。
低温側温調室内には冷却装置と送風機とが設けられており、送風機で内部の空気を循環しつつ、冷却装置で低温側温調室内の温度を低下させる。
【０００４】
また試験室と高温側温調室の間には、一連の高温側空気循環路が形成されており、当該高温側空気循環路には、高温側ダンパーが設けられている。
同様に試験室と低温側温調室の間にも、一連の低温側空気循環路が形成されており、当該低温側空気循環路には、低温側ダンパーが設けられている。
【０００５】
そして高温晒しモードによる運転を実施する場合には、高温側空気循環路に設けられた高温側ダンパーを開いて高温側温調室から試験室内に高温の空気を導入する。
このとき、低温側空気循環路に設けられた低温側ダンパーは閉じられており、低温側温調室内だけで空気を循環させて低温側温調室の温度を低温に保つ。即ち次の低温晒しモードの実施に備えて、低温側温調室に低温の空気を準備しておく。
【０００６】
逆に低温晒しモードによる運転を実施する場合には、低温側空気循環路に設けられた低温側ダンパーを開いて低温側温調室から試験室内に低温の空気を導入する。
このとき、高温側空気循環路に設けられた高温側ダンパーは閉じられ、高温側温調室内だけで空気を循環させて高温側温調室の温度を高温に保つ。即ち次の高温晒しモードの実施に備えて、高温側温調室に高温の空気を準備しておく。
【先行技術文献】
【特許文献】
【０００７】
【特許文献１】特開平１１−１６０２１７号公報
【特許文献２】特開平９−３０４２５８号公報
【発明の概要】
【発明が解決しようとする課題】
【０００８】
ところで冷熱衝撃試験を行う場合、高温晒しモードにおける試験室の設定温度を、摂氏４００度程度とする場合があり、この場合、低温晒しモードが実行されている際には次の高温晒しモードに備えて高温側温調室に摂氏４５０度程度の高温の空気が準備される。
即ち低温晒しモードが実行されている際には、高温側ダンパーが閉じられて試験室と高温側温調室との間が遮断され、高温側温調室内ではヒータに通電されると共に送風機が駆動され、高温側温調室を高温の空気が循環している。
この様に低温晒しモードが実行されている際には、高温側ダンパーが閉じられていて試験室側に高温の空気が漏れることを防止している。
しかしながら、高温側ダンパーには４５０度程度の高温の空気が接している。かつ送風機によって空気が循環されているので、高温側ダンパーにはある程度の動圧が掛かる。
【０００９】
周知の通り、ダンパー自身、又はダンパーの当接面にはパッキン部材が設けられ、パッキン部材によって気密性が確保される。しかしながら摂氏４００度を超える様な高温領域で使用可能なパッキン部材は、種類が限られる。
即ち樹脂やゴムを素材とするパッキン部材は、シール性能が高いが、高温で軟化したり、早期に劣化してしまうという問題がある。
パッキン部材が劣化して気密性がなくなると、低温晒しモードの際に試験室内に高温の空気が流れ込み、試験室内の温度を所望の低温にすることが困難となる。
【００１０】
金属パッキンは、高温に耐えるが、一般に硬く他の部材との馴染みが悪いので、シール性能が劣る。
そのため金属パッキンを使用すると、低温晒しモードの際に試験室内に高温の空気が流れ込みやすく、試験室内の温度を低下させることの妨げとなることがある。
【００１１】
また試験室の扉についても同様であり、高温環境で試験を行う場合には、相当の高温にさらされる。そして扉から外気が進入したり、内部の空気が漏れると、試験室内を高温に維持する妨げとなる。
【００１２】
そこで本発明は、従来技術の上記した問題点に注目し、高温に耐え、且つシール性能が高い封止構造を提案するものであり、試験室内を所望の温度に維持しやすい環境試験装置を提供することを課題とするものである。
【課題を解決するための手段】
【００１３】
上記した課題を解決するための請求項１に記載の発明は、被試験物を配置する試験室と、本体側開口と、当該本体側開口を開閉する開閉部材と、パッキン部材とを有する環境試験装置において、前記パッキン部材は凹変可能及び／又は厚さ方向に変形可能であり、前記パッキン部材は開閉部材又は本体側開口のいずれか一方に取り付けられ、開閉部材又は本体側開口の他方には辺状にのびる角辺があり、前記開閉部材が前記本体側開口を閉塞した状態においては、前記角辺が前記パッキン部材と接触し、パッキン部材を凹変及び／又は厚さ方向に変形させることを特徴とする環境試験装置である。
【００１４】
以下、説明を容易にするために、パッキン部材が取り付けられた部材（開閉部材又は本体側開口のいずれか一方）をパッキン側部材と称し、他方の部材（開閉部材又は本体側開口の他方）を当接側部材と称する。
本発明の環境試験装置では、パッキン側部材に設けられたパッキン部材と当接側部材の角辺の接触によって本体側開口が封止される。ここでパッキン部材は、例えばステンレスパッキンである。パッキン部材はある程度の幅があり、且つ凹変可能であるか、厚さ方向に変形可能である。ここで「凹変」「変形」は、塑性変形と弾性変形を含む意味である。
本発明では、パッキン側部材にパッキン部材が取り付けられている。また当接側部材には、辺状にのびる角辺がある。「角辺」は、例えば本体側開口の開口端である。
本発明の環境試験装置では、開閉部材が本体側開口を閉塞した状態においては、当接側部材の角辺がパッキン側部材のパッキン部材と接触し、パッキン部材を凹変及び／又は厚さ方向に変形させる。当接側部材の角辺は、幅が狭い。そのためパッキン部材に対する接触面積が小さく、接触圧力が高い。そのため、パッキン部材と当接側部材の角辺とが密接し、パッキン部材と当接側部材の間の気密性が確保される。
【００１５】
請求項２に記載の発明は、前記パッキン部材は複数のパッキン片によって構成されており、前記パッキン片は環状に配置されて開閉部材の辺部近傍又は本体側開口の開口端近傍に配置され、前記パッキン片の側面側に押圧部材があり、前記押圧部材は一時締結要素によって開閉部材又は本体側開口に取り付けられるものであって取り付け位置を調整可能であり、押圧部材の取り付け位置を変更することによってパッキン片の位置又は姿勢の少なくともいずれかを変更可能であることを特徴とする請求項１に記載の環境試験装置である。
【００１６】
本発明の環境試験装置では、パッキン部材の各部の高さを調整することができ、角辺との接触を密にして高い気密性を確保することができる。
以下、この点について説明する。
開閉部材と本体側開口のいずれにパッキン部材を設けるにせよ、パッキン部材は本体側開口を隙間なく封止するために、本体側開口の周囲を環状に取り巻く様に設置する必要がある。
また本体側開口は、製作の都合上、四角形に作られることが多い。そのためパッキン部材は、四角形の本体側開口の周囲を環状に取り巻かせるために、平面視が四角形となる様に配置する必要がある。しかしながら、直線状のパッキン部材を折り曲げて四角形に配置すると、四角形の角の部分が皺になったり膨らむという問題がある。そのため四角形の角の部分は、当接側部材の角辺とパッキン部材との馴染みが悪く、当該部位から空気が漏れる懸念がある。
これに対して本発明は、パッキン部材の側面に押圧部材がある。押圧部材は一時締結要素によって開閉部材又は本体側開口に取り付けられるものであり、一時締結要素による締結を緩めることによって前記押圧部材の取り付け位置を変更することが可能であり、押圧部材の取り付け位置を変更することによってパッキン部材の位置又は姿勢の少なくともいずれかを変更可能である。
そのためパッキン部材と当接側部材の角辺との当たり具合を調節することができる。
【００１７】
請求項３に記載の発明は、パッキン部材は、パッキン本体と、姿勢保持部材によって構成され、姿勢保持部材はパッキン本体の側面を支持するものであることを特徴とする請求項２に記載の環境試験装置である。
【００１８】
本発明の環境試験装置では、パッキン本体の側面を姿勢保持部材で支持するので、当接側部材の角辺がパッキン本体を押圧する際にパッキン本体が逃げない。
そのため角辺がパッキン本体と密接し、気密性を確保することができる。
【００１９】
請求項４に記載の発明は、前記パッキン部材は複数のパッキン片によって構成されており、一方のパッキン片の端部が他方のパッキン片の辺部に接した状態で前記パッキン片が環状に配置されていることを特徴とする請求項１乃至３のいずれかに記載の環境試験装置である。
【００２０】
本発明によると、パッキン片同士の隙間が無くなり、気密性が確保される。
【００２１】
パッキン部材はパッキン本体を有し、当該パッキン本体は布状物又は網状物で繊維を覆った構造を有し、前記布状物及び網状物は金属製の線材又は繊維で作られたものであることが望ましい（請求項５）。
【００２２】
請求項６に記載の発明は、空気を昇温する昇温部を有し、当該昇温部と試験室を繋ぐ連通路に前記本体側開口及び開閉部材があり、前記開閉部材は動力によって動作されることを特徴とする請求項１乃至５のいずれかに記載の環境試験装置である。
【００２３】
本発明は、冷熱衝撃試験装置等の高温側ダンパー等に適用した態様である。
【００２４】
請求項７に記載の発明は、前記本体側開口は、試験室に被試験物を出し入れするための出入り開口であり、前記開閉部材は出入り開口を開閉する扉部材であることを特徴とする請求項１乃至６のいずれかに記載の環境試験装置である。
【００２５】
本発明は、環境試験装置の出入り開口に適用した態様である。
【発明の効果】
【００２６】
本発明の環境試験装置は、高温気体が漏れ出ることが少なく、試験室内を所望の高温環境や低温環境にするための障害が少ない。
そのため本発明の環境試験装置は、無駄な電力消費が少ない。また本発明の環境試験装置は、所望の環境に至らせるまでに要する時間も短い。
【図面の簡単な説明】
【００２７】
【図１】本発明の実施形態に係る環境試験装置の外観を示す斜視図である。
【図２】図１の環境試験装置の外観を示す斜視図であって、扉部材を開いた状態を示す。
【図３】図１の環境試験装置の内部構造を示す概念図である。
【図４】図１の環境試験装置の内部構造を示す概念図であって、高温晒しモードで運転している場合のダンパーの開閉姿勢と、空気の流れを示す。
【図５】図１の環境試験装置の内部構造を示す概念図であって、低温晒しモードで運転している場合のダンパーの開閉姿勢と、空気の流れを示す。
【図６】図３の環境試験装置における高温導入ダンパー及び高温導入開口の斜視図である。
【図７】図６の高温導入ダンパーの分解斜視図である。
【図８】図６の高温導入ダンパーの平面図である。
【図９】（ａ）（ｂ）（ｃ）は、図６の高温導入ダンパーにパッキン部材を取り付ける際の手順を示す断面斜視図である。
【図１０】図３の環境試験装置における高温導入ダンパー及び高温導入開口の断面斜視図である。
【図１１】（ａ）（ｂ）（ｃ）は、図３の高温導入ダンパーが高温導入開口を閉塞する際の様子を説明する断面図である。
【図１２】（ａ）（ｂ）は、押圧部材を移動させた際におけるパッキン本体の挙動を示す断面図である。
【図１３】本発明の他の実施形態の高温導入ダンパーを採用した環境試験装置の要部の断面図であり、（ａ）（ｂ）は、高温導入ダンパーが高温導入開口を閉塞する際の様子を示す。
【図１４】本発明のさらに他の実施形態における高温導入ダンパーの平面図である。
【図１５】本発明のさらに他の実施形態の高温導入ダンパーを採用した環境試験装置の要部の断面図である。
【発明を実施するための形態】
【００２８】
以下、さらに本発明の実施形態の環境試験装置について説明する。なお、以下の説明において上下左右や奥行き、高さ等の位置関係は、特に断りのない限り図１に示す通常の設置状態を基準として説明する。また作図の都合上、パッキン部材５０及び押圧部材８１，８２，８３，８４の断面について、ハッチングを一部省略している。
【００２９】
本実施形態の環境試験装置１は、冷熱衝撃試験装置であり、高温晒しモードによる運転と、低温晒しモードによる運転を交互に繰り返すことができる。即ち本実施形態の環境試験装置は、従来技術と同様、試験室２の他に、高温側温調室（温調部）５と、低温側温調室（温調部）６とを有している（図３，４，５）。
【００３０】
また試験室２と高温側温調室５の間には、図４の様に一連の高温側空気循環路７が形成可能であり、当該高温側空気循環路７には、高温導入側ダンパー８と、高温排出側ダンパー１０が設けられている。
同様に試験室２と低温側温調室６の間にも、図５の様に一連の低温側空気循環路１１が形成可能であり、当該低温側空気循環路１１には、低温導入側ダンパー１５と、低温排出側ダンパー１６が設けられている。
【００３１】
そして高温晒しモードによる運転を実施する場合には、図４に示すように、高温側空気循環路７に設けられた高温導入側ダンパー８と、高温排出側ダンパー１０を開いて高温側温調室５内の高温の空気を試験室２内に導入する。
このとき、低温側空気循環路１１に設けられた低温導入側ダンパー１５と、低温排出側ダンパー１６は閉じられており、低温側温調室６内だけで空気を循環させて低温側温調室６の温度を低温に保つ。即ち次の低温晒しモードの実施に備えて、低温側温調室６内に低温の空気を準備しておく。
【００３２】
逆に低温晒しモードによる運転を実施する場合には、図５に示すように、低温側空気循環路１１に設けられた低温導入側ダンパー１５と、低温排出側ダンパー１６を開いて試験室２内に低温の空気を導入する。
このとき、高温側空気循環路７に設けられた高温導入側ダンパー８と、高温排出側ダンパー１０は閉じられ、高温側温調室５内だけで空気を循環させて高温側温調室５の温度を高温に保つ。即ち次の高温晒しモードの実施に備えて、高温側温調室５に高温の空気を準備しておく。
【００３３】
次に、本実施形態の環境試験装置の具体的構成について説明する。
図１に示すように、環境試験装置１は、筐体３を有している。筐体３は、直方体状の形状を有するものであり、断熱性を有する外壁によって外周が囲まれている。筐体３の正面には、扉１７があり、扉１７によって試験室２の出入り開口１３が開閉される。なお出入り開口１３は、試験室２に被試験物を出し入れするための開口であり、高温の空気が接することがある。
【００３４】
環境試験装置１は、図３に示すように、筐体３の内部に、試験室２と高温側温調室５及び低温側温調室６を有している。高温側温調室５は、試験室２に対して上方にある。また低温側温調室６は、試験室２に対して下方に配されている。
前記した試験室２、高温側温調室５及び低温側温調室６は、いずれも断熱壁２１によって囲まれている。また試験室２と、高温側温調室５及び低温側温調室６との間は、それぞれ断熱仕切壁２２，２３で仕切られている。
【００３５】
高温側温調室５の内部は、ほぼ水平に配された仕切２５を介して、加熱部２６と内部循環ダクト２７とに分かれている。加熱部２６には、ヒータ２８や、送風機３０が設けられている。また、図３，４，５に示すように、内部循環ダクト２７には、高温側内部ダンパー３１が設けられている。さらに、高温側温調室５と試験室２との間の断熱仕切壁２２には、高温導入開口３３と、高温排出開口３５が設けられている。
高温導入開口３３及び高温排出開口３５は、昇温部（高温側温調室５）と試験室２を繋ぐ連通路であり、本体側開口として機能する。
高温導入開口３３及び高温排出開口３５は、共に長方形の開口である。また断熱仕切壁２２はある程度の厚さがある。そのため図６に示すように、高温導入開口３３及び高温排出開口３５には、高温側温調室５側の開口端８７と、試験室２側の開口端８８があり、両者の間に周壁４８が設けられている。周壁４８は、断熱仕切壁２２の表面に対して垂直である。従って高温導入開口３３及び高温排出開口３５の、試験室２側の開口端８８は断熱仕切壁２２の表面と周壁４８が垂直に接し、角となっている。また角は、試験室２側の開口端８８の全周に連続して延びており、角辺５１を構成している。なお角辺５１には、図示しない鋼材が配されており、相当の剛性を有している。
【００３６】
高温導入開口３３には、前記した高温導入側ダンパー８が設けられている。本実施形態では、高温導入開口３３が本体側開口として機能し、高温導入側ダンパー８が開閉部材として機能する。
高温導入側ダンパー８は、平面視が略長方形であり、その一辺側に設けられたヒンジ３４を中心として揺動する（図３参照）。なお高温排出側ダンパー１０、低温導入側ダンパー１５と、低温排出側ダンパー１６についても同様であり、平面視が略長方形であり、その一辺側に設けられたヒンジを中心として揺動する。
また高温排出開口３５には、高温排出側ダンパー１０が設けられている。
なお本実施形態では、高温導入側ダンパー８及び高温排出側ダンパー１０の中央部に突出部１２があり、高温導入開口３３等を塞いだ際に前記した突出部１２が高温導入開口３３等の中に入り込む。即ち高温導入側ダンパー８の高温導入開口３３側は、平面部７７と突出部１２がある。そして平面部７７は高温導入開口３３の開口縁に面し、突出部１２は高温導入開口３３の中に入り込む（図６参照）。
【００３７】
ヒータ２８は、流入した空気を加熱することができるものである。送風機３０は、ヒータ２８に対して隣接する位置にあり、ヒータ２８で加熱された空気を吸い込み、所定の風速で吹き出すことができる。送風機３０は、試験室２の高温導入開口３３が設けられた部分の上方に位置しており、送風機３０の送風口２９は、高温導入開口３３に向かって開いている。
そのため、高温導入側ダンパー８及び高温排出側ダンパー１０を開いた状態で送風機３０を作動させると、ヒータ２８で加熱された空気が、送風機３０の送風口２９から高温導入側ダンパー８に至る領域を経て試験室２に向けて送風される。このとき、高温の空気は、高温導入開口３３と接する。
また、試験室２に送風された空気は、試験室２に充満すると共に高温排出開口３５を通過し、高温側温調室５に戻る。高温側温調室５に流入した空気は、再びヒータ２８に戻る。このようにして、ヒータ２８で加熱された空気は、高温側温調室５と試験室２との間で循環する。
【００３８】
一方、高温導入側ダンパー８及び高温排出側ダンパー１０を閉じ、高温側内部ダンパー３１を開いた状態で送風機３０を作動させることにより、ヒータ２８により空気を適宜加熱しつつ、ヒータ２８と内部循環ダクト２７との間で空気を循環させることができる。このときも高温導入開口３３及び高温導入側ダンパー８に高温の空気が当たる。
【００３９】
なお本実施形態では、高温導入側ダンパー８と高温側内部ダンパー３１は、リンク機構３６によって連結され、両者は連動する。即ち高温導入側ダンパー８が閉じられると、リンク機構３６によって高温側内部ダンパー３１が開く。逆に高温導入側ダンパー８を開くと、これに連動して高温側内部ダンパー３１が閉じる。各ダンパー８，１０，３１は、図示しないモータによって開閉される。
【００４０】
低温側温調室６は、前記した高温側温調室５と同様の流路構成をもっている。ただし、前記した高温側温調室５は、ヒータ２８を有していたのに対し、低温側温調室６には、冷却装置３７と、補助加熱装置３８が内蔵されている。
即ち低温側温調室６の内部も、仕切４２を介して、冷却部４０と内部循環ダクト４３とに分かれている。冷却部４０には、冷却装置３７と、補助加熱装置３８及び送風機６８が設けられている。また、図３，４，５に示すように、内部循環ダクト４３には、低温側内部ダンパー４１が設けられている。さらに、低温側温調室６と試験室２の間には、低温導入開口４５と、低温排出開口４６が設けられている。そして低温導入開口４５には、低温導入側ダンパー１５が設けられている。また低温排出開口４６には、低温排出側ダンパー１６が設けられている。各ダンパー１５，１６，４１は、図示しないモータによって開閉される。
【００４１】
低温導入側ダンパー１５及び低温排出側ダンパー１６を開いた状態で送風機６８を作動させると、冷却装置３７で温度降下した空気が、送風機６８の送風口から試験室２に向けて送風される。また、試験室２に送風された空気は、試験室２に充満すると共に低温排出開口４６に設けられた低温排出側ダンパー１６を通過し、低温側温調室６に戻る。低温側温調室６に流入した空気は、再び冷却装置３７に戻る。このようにして、冷却装置３７で冷却された空気は、低温側温調室６と試験室２との間で循環する。
一方、低温側温調室６は、低温導入側ダンパー１５及び低温排出側ダンパー１６を閉じ、低温側内部ダンパー４１を開いた状態で送風機６８を作動させることにより、冷却装置３７により空気を冷却しつつ、冷却装置３７と内部循環ダクト４３との間で空気を循環させることができる。
【００４２】
なお本実施形態では、低温導入側ダンパー１５と低温側内部ダンパー４１は、リンク機構４７によって連結され、両者は連動する。
【００４３】
次に本実施形態の環境試験装置１の特徴的構成について説明する。本実施形態の環境試験装置１は、筐体３の正面に設けられた扉１７の封止構造及び高温導入側ダンパー８の封止構造に特有の工夫が施されている。
【００４４】
以下、高温導入側ダンパー８の封止構造を例に説明する。
本実施形態では、高温導入側ダンパー８が前記したパッキン側部材として機能し、高温導入開口３３が当接側部材として機能する。
高温導入側ダンパー８は、高温側空気循環路７に取り付けられたものであり、高温導入開口３３を開閉する開閉部材である。
高温導入開口３３は、前記した様に高温側温調室５と試験室２との間の断熱仕切壁２２に設けられた本体側開口である。前記した様に高温導入開口３３の形状は、長方形である。そして断熱仕切壁２２にはある程度の厚さがあるから、図６に示すように、高温導入開口３３には、高温側温調室５側の開口端８７と、試験室２側の開口端８８があり、両者の間に周壁４８が存在する。周壁４８は、断熱仕切壁２２の表面に対して垂直であるから、試験室２側の開口端８８は、断熱仕切壁２２の表面と周壁４８が垂直に接し、断面形状は角となっている。また高温導入開口３３を平面視すると、角の部位は、試験室２側の開口端８８の全周に連続して延びており、高温導入開口３３の一辺を構成している。従って高温導入開口３３の開口端８８は、角辺５１をなしている。
【００４５】
本実施形態では、高温導入開口３３は、高温導入側ダンパー８に設けられたパッキン部材５０を高温導入開口３３の角辺５１に接触させることによって封止される。
パッキン部材５０は、４個のパッキン片５５，５６，５７，５８によって構成されている。各パッキン片５５，５６，５７，５８は、いずれもパッキン本体７０と、姿勢保持部材７１によって構成されている（図９参照）。パッキン片５５，５６，５７，５８は、長さだけが異なり、断面形状その他は同一である。
パッキン本体７０は、ステンレスパッキンと称されるものであり、図９の様にセラミック繊維等の耐熱性を有する繊維５２を金属の布状物５３で覆ったものである。
【００４６】
布状物５３は、ステンレス等の金属線によって構成された物であり、可撓性を有している。
布状物５３の組成は、網状であっても織物状であってもよい。
【００４７】
パッキン本体７０は、図９（ａ）の様に、布状物５３でセラミック繊維等の繊維５２を取り巻いたものである。パッキン本体７０の断面形状を見ると、図９（ａ）の様に、一枚の布状物５３で覆われた袋状部位７５と、布状物５３が重なった帯状接合部７６とがある。布状物５３が重なった部位（帯状接合部７６）は、図示しない接合手段によって布状物５３同士が接合されている。
またパッキン本体７０は、長尺状であり、直線状である。
パッキン本体７０の袋状部位７５は、強く押すと、全体が圧縮されて縮む。また部分的に押圧すると押圧部分が凹む。
【００４８】
姿勢保持部材７１は、断面形状が略「Ｌ」字状をした長尺物である。姿勢保持部材７１は、ステンレス等の金属板を折り曲げて作られたものであり、座部７２と支持壁部７３を有している。座部７２は、図９（ａ）の様に、金属板を折り曲げて３枚重ねに成形された部位である。なお説明の都合上、図９（ａ）は、座部７２を構成する３枚の金属板の間隔を開いて図示しているが、実際には、図９（ｂ）（ｃ）の様に、３枚の金属板は、密接している。
支持壁部７３は、座部７２に対して垂直姿勢である。従って、姿勢保持部材７１の断面形状は、略「Ｌ」字状である。支持壁部７３の高さは、パッキン本体７０の袋状部位７５の直径よりも低い。
【００４９】
各パッキン片５５，５６，５７，５８は、図９（ｃ）の様に、姿勢保持部材７１の座部７２にパッキン本体７０の袋状部位７５の少なくとも一部が載置され、パッキン本体７０の帯状接合部７６が、座部７２の下面側に配されて成るものである。
パッキン本体７０の袋状部位７５は、姿勢保持部材７１の座部７２と支持壁部７３で囲まれた領域にあり、パッキン本体７０の袋状部位７５の側面に姿勢保持部材７１の支持壁部７３がある。
【００５０】
パッキン片５５，５６，５７，５８には、長辺用と短辺用があり、パッキン片５５，５７は、長辺用であって全長が長く、パッキン片５６，５８は、短辺用であって全長が短い。
パッキン部材５０は、前記した４個のパッキン片５５，５６，５７，５８が四角形に組み合わされて構成されたものである。
即ち図７の様に、４個のパッキン片５５，５６，５７，５８が高温導入側ダンパー８の突出部１２を取り巻いて設置され、４個のパッキン片５５，５６，５７，５８によって環状構造が形成されている。
４個のパッキン片５５，５６，５７，５８の取り付け位置は、高温導入側ダンパー８の辺部近傍であって、突出部１２を取り巻く位置である。
【００５１】
より具体的に説明すると、高温導入側ダンパー８の突出部１２の長辺１２ａに面した部位に長辺用のパッキン片５５が配置され、短辺１２ｂに面した部位に短辺用のパッキン片５６が配置され、長辺１２ｃに面した部位に長辺用のパッキン片５７が配置され、短辺１２ｄに面した部位に短辺用のパッキン片５８が配置されている。
各パッキン片５５，５６，５７，５８同士の接触部分は、図８の様であり、長辺用のパッキン片５５，５７の両端が短辺用のパッキン片５６，５８の側面であって長手方向の端部近傍と当接している。そして長辺用のパッキン片５５，５７の両端が、短辺用のパッキン片５６，５８の側面を押圧し、両者は実質的に密接している。
【００５２】
各パッキン片５５，５６，５７，５８は、図９（ｃ）の様に、ネジ７８によって高温導入側ダンパー８の平面部７７に固定されている。
各パッキン片５５，５６，５７，５８は、いずれも姿勢保持部材７１の支持壁部７３の背面側を高温導入側ダンパー８の突出部１２の縦壁部７９と対向させ、姿勢保持部材７１の座部７２側を高温導入側ダンパー８の平面部７７側に向けた姿勢となっている。
各パッキン片５５，５６，５７，５８の姿勢保持部材７１の支持壁部７３の背面側と、高温導入側ダンパー８の突出部１２の縦壁部７９との間には、隙間８０がある。
【００５３】
また本実施形態では、各パッキン片５５，５６，５７，５８の外側に、押圧部材８１，８２，８３，８４が設けられている。
押圧部材８１，８２，８３，８４は、長さだけが異なり、断面形状その他は同一である。押圧部材８１，８２，８３，８４の長さは、対応する各パッキン片５５，５６，５７，５８の長さと略等しい。
押圧部材８１，８２，８３，８４は、図９（ａ）の様に、一枚の金属板を折り曲げて作られたものである。なお押圧部材片８１，８２，８３，８４の材質は、ステンレス等の錆びにくい金属であることが望ましい。
押圧部材８１，８２，８３，８４は、断面形状が概ね「Ｌ」字状である。即ち押圧部材８１，８２，８３，８４は、取り付け座部６０と、取り付け座部６０に対して垂直に折り立てられた垂直壁部６１を有している。取り付け座部６０には、取り付け用の長孔６７が設けられている。長孔６７は、取り付け座部６０の幅方向に延びている。
【００５４】
４本の押圧部材８１，８２，８３，８４は、いずれもネジ（一時締結要素）６３で、開閉部材たる高温導入側ダンパー８に取り付けられている。
即ち４本の押圧部材８１，８２，８３，８４は、各パッキン片５５，５６，５７，５８の側面にあり、垂直壁部６１がパッキン本体７０の袋状部位７５と当接している。逆に言えば、パッキン本体７０の袋状部位７５は、姿勢保持部材７１の支持壁部７３と押圧部材８１，８２，８３，８４の垂直壁部６１に挟まれている。
【００５５】
また４本の押圧部材８１，８２，８３，８４は、長孔６７を介して高温導入側ダンパー８に取り付けられている。そのためネジ６３を緩めると、押圧部材８１，８２，８３，８４を長孔６７に沿って移動させることができる。より詳細には、押圧部材８１，８２，８３，８４は、各パッキン片５５，５６，５７，５８に対して近接・離反方向に移動させることができる。そして押圧部材８１，８２，８３，８４を移動させてパッキン本体７０の袋状部位７５への押圧力を変更し、パッキン本体７０の姿勢を調節することができる。
【００５６】
即ちパッキン本体７０は、セラミック繊維等の耐熱性を有する繊維５２を金属の布状物５３で覆ったものであるから、周囲から押圧されることによって袋状部位７５の形が変わる。
例えば、図１２（ａ）の様な状態から、押圧部材８１，８２，８３，８４をパッキン本体７０の袋状部位７５に近づく方向に移動させ、袋状部位７５の側面を押すと、袋状部位７５は高さ方向に変形する。
即ち袋状部位７５は、姿勢保持部材７１の支持壁部７３と押圧部材８１，８２，８３，８４の垂直壁部６１に挟まれているから、押圧部材８１，８２，８３，８４によってより強く側面を押されると、袋状部位７５は、逃げ場を失って高さ方向に変形し、全高が高くなる。逆に、押圧部材８１，８２，８３，８４を袋状部位７５から離れる方向に移動させると、袋状部位７５は幅方向に広がり全高が低くなる。
【００５７】
また押圧部材８１，８２，８３，８４を移動することにより、袋状部位７５の幅方向の中心線８６がずれる。
本実施形態では、高温導入側ダンパー８に設けられたパッキン部材５０を、断熱仕切壁２２に設けられた高温導入開口３３の角辺５１に接触させることによって高温導入開口３３を封止するものであり、パッキン片５５，５６，５７，５８及び押圧部材８１，８２，８３，８４を高温導入側ダンパー８に取り付ける際には、押圧部材８１，８２，８３，８４の位置を調節する。そして袋状部位７５の高さを調整し、角辺５１が袋状部位７５を均等に押圧するようにする。また角辺５１が袋状部位７５の中心線８６と当接する様に押圧部材８１，８２，８３，８４の位置が調整される。
【００５８】
次に、高温導入側ダンパー８を動作させて高温導入開口３３が閉じられる際の様子を図１１を参照しつつ説明する。
高温導入側ダンパー８は、前記した様に図示しないモータによって動作される。即ち図示しないモータを起動すると、高温導入側ダンパー８は、ヒンジ３４を中心として揺動し、高温導入開口３３を開閉する。
高温導入側ダンパー８が開いた状態から図示しないモータを回転すると、高温導入側ダンパー８は、ヒンジ３４を中心として揺動し、図１１（ａ）の様に高温導入側ダンパー８が高温導入開口３３の近傍に近づく。そしてさらにモータを回転すると、図１１（ｂ）の様に高温導入側ダンパー８の突出部１２が、高温導入開口３３に入り込み、突出部１２の周囲に設けられたパッキン部材５０の袋状部位７５が、高温導入開口３３の角辺５１に当たる。
【００５９】
そしてさらにモータを回転すると、図１１（ｃ）の様に、高温導入側ダンパー８の突出部１２が、高温導入開口３３にさらに深く入り込み、高温導入開口３３の角辺５１が、パッキン本体７０の袋状部位７５を強く押す。ここで、パッキン本体７０の袋状部位７５は、姿勢保持部材７１の支持壁部７３と押圧部材８１，８２，８３，８４の垂直壁部６１に挟まれていて、横方向に逃げることはできない。また袋状部位７５は、姿勢保持部材７１の支持壁部７３と押圧部材８１，８２，８３，８４の垂直壁部６１に挟まれているから、幅方向への変形余力は少ない。そのため、高温導入開口３３の角辺５１の押圧力の大半は、袋状部位７５の表面を押圧する力として作用し、角辺５１は直接的に袋状部位７５を強く押す。その結果、袋状部位７５の表面が凹変し、高温導入開口３３の角辺５１がパッキン本体の袋状部位７５に食い込む。
そのため高温導入開口３３の角辺５１がパッキン本体の袋状部位７５と密接し、高い気密性が確保される。
【００６０】
本実施形態の環境試験装置１のレイアウトでは、高温導入側ダンパー８の真上の位置に送風機３０があり、送風機３０の送風口２９は高温導入側ダンパー８側に向いている。そのため送風の動圧が高温導入側ダンパー８にかかる。しかしながら、パッキン部材５０は高温導入開口３３の角辺５１によって強く押圧され、両者の間の気密性は高い。そのため送風機３０の回転数を高くしても高温の空気が、試験室２側に漏れることを抑制することができる。
【００６１】
筐体３の正面に設けられた扉１７部分の封止構造も、高温導入側ダンパー８に準じた構造であり、パッキン部材５０’と、角辺５１’とによって封止されている（図２参照）。
【００６２】
以上説明した実施形態では、高温導入側ダンパー８側にパッキン部材５０を設け、高温導入開口（本体側開口）３３の角辺５１でパッキン部材５０を押圧したが、図１３の様に高温導入開口（本体側開口）３３の開口端近傍にパッキン部材５０を設け、高温導入側ダンパー９０側の角辺９１でパッキン部材５０を押圧してもよい。
図１３に示す実施形態では、高温導入側ダンパー９０は、平面部７７と突出部１２の間に段部９３があり、段部９３の角によって角辺９１が形成されている。
【００６３】
上記した本実施形態では、高温導入側ダンパー８及び高温排出側ダンパー１０の中央部に突出部１２があり、高温導入開口３３等を塞いだ際に前記した突出部１２が高温導入開口３３等の中に入り込む。この構成は、パッキン部材５０に高温の空気が接する機会を減少する効果があり、推奨されるものであるが、本発明はこの構成に限定されるものではない。
【００６４】
上記した実施形態では、高温導入側ダンパー８に、パッキン部材５０と角辺５１による封止構造を採用したが、高温排出側ダンパー１０にこの封止構造を採用してもよい。
また上記した実施形態では、高温導入側ダンパー８と扉１７部分に、パッキン部材５０，５０’と角辺５１，５１’による封止構造を採用したが、いずれか一方にのみこの封止構造を採用してもよい。
また上記した実施形態では、パッキン部材５０を４片のパッキン片５５，５６，５７，５８によって構成したが、より多くの数のパッキン片によってパッキン部材５０を構成してもよい。逆により少数のパッキン片によってパッキン部材５０を構成してもよい。
【００６５】
押圧部材８１，８２，８３，８４の個数や形状は任意である。また押圧部材８１，８２，８３，８４の個数とパッキン片５５，５６，５７，５８の個数が違っていてもよい。
【００６６】
また上記した実施形態では、各パッキン片５５，５６，５７，５８を四角形に組み合わせる構成として、図８の様に、一方のパッキン片５５，５７の端部を隣接するパッキン片５６，５８の側面に押し当てる構造を例示したが、この構造は必須ではない。例えば図１４に示す様に、各パッキン片５５，５６，５７，５８の両端同士を直接接触させてもよい。図１４に示す構成では、各パッキン片５５，５６，５７，５８の両端を傾斜面に成形し、当該傾斜面同士で押圧している。
【００６７】
また上記した実施形態では、各パッキン片５５，５６，５７，５８の大きさや高さ、特にパッキン本体７０の大きさや高さを同一のものとしたが、設置される辺に応じて大きさや高さを異ならせてもよい。
例えば、図１５に示す様に高温導入側ダンパー８の開閉軌跡を考慮して、ヒンジ３４に近い辺を構成するパッキン片５７のパッキン本体７０を他のパッキン片５５等のパッキン本体７０よりも小さいものとしてもよい。
即ち高温導入側ダンパー８は、ヒンジ３４を中心として揺動するから、ヒンジ３４に近い辺を構成するパッキン片５７の回動半径は、ヒンジ３４から遠い辺を構成するパッキン片５５の回動半径よりも小さい。そこで、パッキン片５５，５７の回動半径に合わせてパッキン本体７０の大きさや高さに変化を付けてもよい。
また各パッキン片５５，５６，５７，５８の弾力性は、原則的に同一であるが、各パッキン片５５，５６，５７，５８のいずれかの弾力性が他とは異なるものであってもよい。      
【００６８】
上記した実施形態では、各パッキン片５５，５６，５７，５８の姿勢保持部材７１の支持壁部７３の背面側と、高温導入側ダンパー８の突出部１２の縦壁部７９との間に隙間８０を設けたが、当該隙間は無くてもよい。
さらに進んで姿勢保持部材７１についても必須ではなく、省略することができる。姿勢保持部材７１を省略する場合は、袋状部位７５は、高温導入側ダンパー８の突出部１２の縦壁部７９と、押圧部材８１，８２，８３，８４の垂直壁部６１に挟まれる。袋状部位７５は、押圧部材８１，８２，８３，８４によって強く側面を押されると、逃げ場を失って高さ方向に変形し、全高が高くなる。
【００６９】
上記した実施形態は、本発明を冷熱衝撃試験装置に適用したものであるが、他の環境試験装置に本発明を採用してもよい。
例えば恒温恒湿装置には、高温導入側ダンパー８に相当する部材を持たない場合があるが、その場合には、筐体の正面に設けられる扉部分の封止構造に、本発明を適用することとなる。
【符号の説明】
【００７０】
１  環境試験装置
２  試験室
５  高温側温調室（温調部）
８  高温導入側ダンパー
１７  扉
３３  高温導入開口（本体側開口）
５０，５０’  パッキン部材
５１，５１’  角辺
５２  繊維
５３  布状物
５５，５６，５７，５８  パッキン片
６３  ネジ（一時締結要素）
７０  パッキン本体
７１  姿勢保持部材
８１，８２，８３，８４  押圧部材
【図１】
2015225067.tif 000003
【図２】
2015225067.tif 000004
【図３】
2015225067.tif 000005
【図４】
2015225067.tif 000006
【図５】
2015225067.tif 000007
【図６】
2015225067.tif 000008
【図７】
2015225067.tif 000009
【図８】
2015225067.tif 000010
【図９】
2015225067.tif 000011
【図１０】
2015225067.tif 000012
【図１１】
2015225067.tif 000013
【図１２】
2015225067.tif 000014
【図１３】
2015225067.tif 000015
【図１４】
2015225067.tif 000016
【図１５】
2015225067.tif 000017